(57)【要約】【課題】地中に埋設される幹線ケーブルから引込みケーブルを分岐する分岐接続部であって、施工作業の容易化を図ることができる電力ケーブルの分岐接続部を提供する。【解決手段】電力ケーブルの分岐接続部は、幹線ケーブルと、幹線ケーブルに分岐接続される引込みケーブルと、幹線ケーブルと引込みケーブルとの接続部分を収容する分岐桝と、を備える。分岐桝は、幹線ケーブルの相ケーブルを個別に挿通する幹線ケーブル挿通口と、引込みケーブルの相ケーブルを個別に挿通する引込みケーブル挿通口と、が形成された箱形状を有し、幹線ケーブルは、分岐桝の外部で各相ケーブルに分離され、分岐桝に個別に挿通されている。【選択図】図１
2020182356.tif 000002
【特許請求の範囲】
【請求項１】
幹線ケーブルと、
前記幹線ケーブルに分岐接続される引込みケーブルと、
前記幹線ケーブルと前記引込みケーブルとの接続部分を収容する分岐桝と、を備える電力ケーブルの分岐接続部であって、
前記幹線ケーブルは複数の幹線相ケーブルからなり、
前記引込みケーブルは複数の引込み相ケーブルからなり、
前記分岐桝は、
前記幹線相ケーブルを個別に挿通する幹線ケーブル挿通口と、前記引込み相ケーブルを個別に挿通する引込みケーブル挿通口と、が形成された箱形状を有し、
前記幹線ケーブルは、前記分岐桝の外部で各前記幹線相ケーブルに分離され、前記分岐桝に前記幹線相ケーブル毎に挿通されている、
電力ケーブルの分岐接続部。
【請求項２】
前記分岐桝の外部に設置され、前記幹線ケーブルを各前記幹線相ケーブルに分離した状態で保持する支持構造体を備える、請求項１に記載の電力ケーブルの分岐接続部。
【請求項３】
前記引込みケーブル挿通口は、前記分岐桝において、前記幹線ケーブル挿通口よりも上部に設けられ、
前記引込み相ケーブルは、前記引込みケーブル挿通口を介して挿通され、前記幹線ケーブル挿通口を介して挿通された前記幹線相ケーブルよりも上方に延在し、立体的に折り返されて前記幹線相ケーブルに接続されている、請求項１又は２に記載の電力ケーブルの分岐接続部。
【請求項４】
前記分岐桝は、樹脂材料で形成されている、請求項１から３のいずれか一項に記載の電力ケーブルの分岐接続部。
【請求項５】
前記引込み相ケーブルには、前記分岐桝内でヒューズが接続されており、
前記分岐桝は、前記ヒューズを視認可能な透過性の窓を有する、請求項１から４のいずれか一項に記載の電力ケーブルの分岐接続部。
【請求項６】
前記幹線相ケーブルと前記引込み相ケーブルとの接続部分に防水処理が施されている、請求項１から５のいずれか一項に記載の電力ケーブルの分岐接続部。
【請求項７】
前記幹線ケーブル挿通口及び前記引込みケーブル挿通口に、防水処理が施されている、請求項１から６のいずれか一項に記載の電力ケーブルの分岐接続部。
【発明の詳細な説明】
【技術分野】
【０００１】
本発明は、電力ケーブルの分岐接続部に関し、特に、地中に埋設される幹線ケーブルから引込みケーブルを分岐する場合に有用な技術に関する。
【背景技術】
【０００２】
一般に、電力用低圧線路には、幹線ケーブルから引込みケーブルを分岐するため分岐接続部が設けられており、分岐接続部において分岐された引込みケーブルによって各需要家へ電力が供給されている（例えば、特許文献１〜３参照）。分岐接続部は、幹線ケーブルと引込みケーブルの接続部分を収容するコンクリート製の分岐桝を備え、分岐桝内において幹線ケーブルから引込みケーブルへの分岐接続が行われる。近年、電線地中化並びに無電柱化の拡大に伴い、分岐桝も数多く地中に埋設されるようになっている。
【先行技術文献】
【特許文献】
【０００３】
【特許文献１】特開２００８−１８７８１４号公報
【特許文献２】特開２０１７−２１２８４１号公報
【特許文献３】特開２０００−１６６０７２号公報
【発明の概要】
【発明が解決しようとする課題】
【０００４】
近年、国や地方公共団体の無電柱化施策により、地中化の割合が多くなっているが、地中化工事費用は高価なため欧米並みには進んでいない中、工事費用を削減する１つとして地下掘削量削減のための分岐桝の縮小化が挙げられる。しかしながら、従来の分岐接続部では、地中に埋設した分岐桝に幹線ケーブルを挿通し、分岐桝内で幹線ケーブルの撚りを戻して各相電線に分離して、引込みケーブルへの分岐接続が行われるため、オフセットスペースを確保するために、分岐桝の小型化が制限される。また、分岐桝の小型化は、施工時の作業性の低下を招く虞もある。
【０００５】
本発明の目的は、地中に埋設される幹線ケーブルから引込みケーブルを分岐する分岐接続部であって、施工作業の容易化を図ることができる電力ケーブルの分岐接続部を提供することである。
【課題を解決するための手段】
【０００６】
本発明に係る電力ケーブルの分岐接続部は、
幹線ケーブルと、
前記幹線ケーブルに分岐接続される引込みケーブルと、
前記幹線ケーブルと前記引込みケーブルとの接続部分を収容する分岐桝と、を備える電力ケーブルの分岐接続部であって、
前記幹線ケーブルは複数の幹線相ケーブルからなり、
前記引込みケーブルは複数の引込み相ケーブルからなり、
前記分岐桝は、
前記幹線相ケーブルを個別に挿通する幹線ケーブル挿通口と、前記引込み相ケーブルを個別に挿通する引込みケーブル挿通口と、が形成された箱形状を有し、
前記幹線ケーブルは、前記分岐桝の外部で各前記幹線相ケーブルに分離され、前記分岐桝に前記幹線相ケーブル毎に挿通されている。
【発明の効果】
【０００７】
本発明によれば、地中に直接埋設される幹線ケーブルから引込みケーブルを分岐する際の施工作業の容易化を図ることができる。
【図面の簡単な説明】
【０００８】
【図１】図１Ａ、図１Ｂは、実施の形態に係る分岐接続部を示す斜視図である。
【図２】図２Ａ、図２Ｂは、分岐接続部を示す上面図である。
【図３】図３Ａ、図３Ｂは、分岐桝ユニットを示す図である。
【図４】図４は、分岐桝内におけるケーブルの配置態様を示す図である。
【発明を実施するための形態】
【０００９】
以下、本発明の実施の形態を、図面を参照して詳細に説明する。
図１Ａ、図１Ｂは、実施の形態に係る分岐接続部１の構成を示す斜視図であり、図１Ｂでは、カバー１４の内部を透視して示している。図２Ａ、図２Ｂは、分岐接続部１を示す上面図であり、図２Ａでは、カバー１４及び分岐桝１１の天板１１２を取り外した状態を示し、図２Ｂでは、カバー１４を取り外した状態を示している。図３Ａ、図３Ｂは、分岐桝ユニット１０を示す上面図及び側面図であり、分岐桝１１の内部を透視して示している。
【００１０】
分岐接続部１は、例えば、地中に直接埋設される幹線ケーブル２０から引込みケーブル３０を分岐するために電力用低圧線路に設けられる。分岐接続部１は、幹線ケーブル２０及び引込みケーブル３０とともに地中に直接埋設される。分岐接続部１の上方は、例えば、金属製の蓋材で覆われ、道路の一部を形成する。
【００１１】
図１Ａ等に示すように、分岐接続部１は、分岐桝ユニット１０、幹線ケーブル２０及び需要家に電力を供給する引込みケーブル３０を備える。幹線ケーブル２０は、例えば、３相４線式の低圧ケーブルであり、Ｕ相、Ｖ相、Ｗ相の電圧線２１〜２３及びＮ相の中性線２４とを有する。引込みケーブル３０は、幹線ケーブル２０の各相電線２１〜２４に対応する相電線３１〜３４を有する。幹線ケーブル２０の相電線２１〜２３に接続される引込みケーブル２０の相電線３１〜３３には、ヒューズ３５が設けられる。
以下において、幹線ケーブル２０の相電線２１〜２４を「幹線相ケーブル２１〜２４」と称し、引込みケーブル３０の相電線３１〜３４を「引込み相ケーブル３１〜３４」と称する。
【００１２】
分岐桝ユニット１０は、全体として直方体形状を呈し、分岐桝１１、架台１２、支持構造体１３、及びカバー１４等を有する。
分岐桝ユニット１０は、例えば、樹脂材料（例えば、ポリエチレンや繊維強化プラスチック（ＦＲＰ：Fiber Reinforced Plastics））又はコンクリートで形成される。分岐桝ユニット１０を樹脂材料で形成する場合、コンクリートで形成する場合に比較して、軽量化を図ることができる。なお、分岐ユニット１０の筐体を構成する架台１２及びカバー１４をコンクリートで形成し、分岐桝１１を樹脂材料で形成してもよい。
【００１３】
分岐桝１１は、幹線ケーブル２０と引込みケーブル３０の接続部分を収容するもので、筒状の本体部１１１、天板１１２及び底板１１３（図４参照）からなる箱形状を呈する。
【００１４】
底板１１３は、幹線ケーブル２０を配置するためのガイド部（図示略）を有しており、予め架台１２に固定されている。架台１２に分岐桝１１が載置されることにより、本体部１１１の下部開口が底板１１３によって閉塞され、幹線ケーブル２０と引込みケーブル３０との接続部分の収容スペースが形成される。また、本体部１１１の上部開口は、天板１１２によって閉塞される。
【００１５】
分岐桝１１は、仕切り板１１５により４つの収容室（符号略）に区画されており、それぞれの収容室において、幹線相ケーブル２１〜２４と引込み相ケーブル３１〜３４とが接続されるようになっている。それぞれの収容室には、引込み相ケーブル３１〜３４を支持するケーブル支持部１１６が設けられている。ケーブル支持部１１６は、例えば、長手方向に沿う本体部１１１の一方の側面１１１ａ及び仕切板１１５に形成される。
【００１６】
分岐桝１１は、長手方向に対向する本体部１１１の２つの側面１１１ｂ、１１１ｃに、幹線相ケーブル２１〜２４を個別に挿通する幹線ケーブル挿通口１１７、１１８を有する。また、分岐桝１１は、本体部１１１の側面１１１ｂに、引込み相ケーブル３１〜３４を個別に挿通する引込みケーブル挿通口１１９を有する。引込みケーブル挿通口１１９は、幹線ケーブル挿通口１１７よりも上方に位置する。幹線ケーブル挿通口１１７、１１８及び引込みケーブル挿通口１１９は、収容室ごとに設けられる。
【００１７】
幹線ケーブル挿通口１１７、１１８及び引込みケーブル挿通口１１９には、防水処理が施される。防水処理には公知の技術を適用でき、例えば、防水パテや防水テープ等を巻回することで行われる。これにより、分岐桝１１内に土や水が浸入するのを防止することができる。また、幹線ケーブル挿通口１１７、１１８及び引込みケーブル挿通口１１９は一相ずつ設けられているので、防水処理により分岐桝１１を密封しやすく、防水性が向上する。
【００１８】
なお、本実施の形態では、幹線ケーブル挿通口１１７、１１８は、本体部１１１及び底板１１３によって形成される割構造を有しており、既設の幹線ケーブル２０にも後付けて分岐接続部１を施工できるようになっている。
【００１９】
分岐桝ユニット１０において、架台１２は、平板状の部材であり、支持構造体１３が設けられている。支持構造体１３は、架台１２に立設され、幹線ケーブル２０を各幹線相ケーブル２１〜２４に分離した状態で保持する。本実施の形態では、分岐桝１１の長手方向における両側に、それぞれ５つの支持構造体１３が設けられ、隣接する支持構造体１３の間に各幹線相ケーブル２１〜２４が配置されるようになっている。
【００２０】
カバー１４は、分岐桝１１及び支持構造体１３を覆うように架台１２に設置される。カバー１４には、幹線ケーブル２０及び引込みケーブル３０を内部に導入するための挿通口１４１が設けられている。カバー１４を設けることにより、分岐桝１１内に土や水が浸入するのを、より効果的に防止することができる。
【００２１】
カバー１４及び天板１１２の略中央には透過性ののぞき窓１４２、１１４が配置されており、上方から分岐桝１１の内部を視認できるようになっている。のぞき窓１４２、１１４は、少なくとも引込みケーブル３０のヒューズ３５の溶断表示を視認できればよく、数や形状は特に限定されない。
【００２２】
幹線ケーブル２０及び引込みケーブル３０は、カバー１４の挿通口１４１を介して、撚り合わされた状態のまま、分岐桝ユニット１０内に導入される。幹線相ケーブル２１〜２４及び引込み相ケーブル３１〜３４において、接続部分の絶縁皮膜は、適宜除去される。
【００２３】
具体的には、分岐桝１１の本体部１１１を取り付ける前の架台１２に幹線ケーブル２０を配置し、撚りを戻して各幹線相ケーブル２１〜２４に分離する。このとき、支持構造体１３を利用することにより、幹線相ケーブル２１〜２４の撚り癖を除去しやすく、容易に幹線相ケーブル２１〜２４の分離作業を行うことができる。
そして、幹線相ケーブル２１〜２４が分岐桝１１の幹線ケーブル挿通口１１７、１１８に位置するように幹線ケーブル２０の状態を保持し、この状態で分岐桝１１の本体部１１１を架台１２に固定する。これにより、幹線相ケーブル２１〜２４は、個別に、幹線ケーブル挿通口１１７、１１８に挿通された状態となる。
【００２４】
次いで、引込みケーブル３０の引込み相ケーブル３１〜３４を、個別に、引込みケーブル挿通口１１９に挿通する。図４に示すように、引込み相ケーブル３１〜３４は、ケーブル支持部１１６によって支持され、幹線相ケーブル２１〜２４の上方に延在する。引込み相ケーブル３１〜３４は、引込みケーブル挿通口１１９が設けられている側面１１１ｂとは反対側で下方に湾曲して折り返される。そして、幹線相ケーブル２１〜２４と引込み相ケーブル３１〜３４とが、例えば、断面Ｃ字状コネクタ等の汎用の接続部品１５を用いて接続される。仮に分岐桝１１内に水が浸入しても漏電が生じないように、接続部分には防水処理が施される。
【００２５】
また、引込みケーブル３０のヒューズ３５は、のぞき窓１１４、１４２から視認可能な位置に配置される。引込み相ケーブル３１〜３３は分岐桝１１内の上部に位置し、ヒューズ３５はのぞき窓１１４に近接しているので、ヒューズ３５の溶断表示を確認しやすい上、仮に分岐桝１１が浸水しても、ヒューズ３５は汚損されない。
【００２６】
このように、実施の形態に係る分岐接続部１は、幹線ケーブル２０と、幹線ケーブル２０に分岐接続される引込みケーブル３０と、幹線ケーブル２０と引込みケーブル３０との接続部分を収容する分岐桝１１と、を備える。幹線ケーブル２０は複数の幹線相ケーブル２１〜２４からなり、引込みケーブル３０は複数の引込み相ケーブル３１〜３４からなる。分岐桝１１は、幹線相ケーブル２１〜２４を個別に挿通する幹線ケーブル挿通口１１７、１１８と、引込み相ケーブル３１〜３４を個別に挿通する引込みケーブル挿通口１１９と、が形成された箱形状を有する。幹線ケーブル２０は、分岐桝１１の外部で各幹線相ケーブル２１〜２４に分離され、分岐桝１１に個別に挿通されている。
分岐接続部１によれば、分岐桝１１の外側において幹線ケーブル２０の撚りを戻して各幹線相ケーブル２１〜２４に分離することができるので、分岐桝１１内でのオフセットスペースが不要となる。したがって、施工時の作業性を損なうことなく、分岐桝１１の小型化を図ることができ、地中に直接埋設される幹線ケーブル２０から引込みケーブル３０を分岐する際の施工作業の容易化を図ることができる。また、分岐接続部１を埋設する施工コスト（特に、地中の掘削コスト）を低減することができる。
【００２７】
また、分岐接続部１は、分岐桝１１の外部に設置され、幹線ケーブル２０を各幹線相ケーブル２１〜２４に分離した状態で保持する支持構造体１３を備える。
これにより、幹線ケーブル２０の撚りを戻して各幹線相ケーブル２１〜２４に分離する作業を容易に行うことができる。
【００２８】
また、引込みケーブル挿通口１１９は、分岐桝１１において、幹線ケーブル挿通口１１７、１１８よりも上部に設けられている。そして、引込み相ケーブル３１〜３４は、引込みケーブル挿通口１１９を介して挿通され、幹線ケーブル挿通口１１７、１１８を介して挿通された幹線相ケーブル２１〜２４よりも上方に延在し、立体的に折り返されて幹線相ケーブル２１〜２４に接続されている。
分岐桝１１の内部空間を立体的に利用して、引込み相ケーブル３１〜３４を配置しているので、引込み相ケーブル３１〜３４を、幹線相ケーブル２１〜２４に沿わせて平面的に配置する場合に比較して、分岐桝１１の長さを短くすることができ、分岐桝１１の小型化を図ることができる。
【００２９】
また、分岐桝１１は、樹脂材料で形成されている。
これにより、従来のようにコンクリートで形成する場合に比較して、分岐桝１１の軽量化を図ることができる。
【００３０】
また、引込み相ケーブル３１〜３３は、ヒューズ３５を有し、分岐桝１１は、ヒューズ３５を視認可能な透過性ののぞき窓１１４を有する。
これにより、分岐桝１１を解体することなくヒューズ３５の溶断を確認することができる。前述のように、引込み相ケーブル３１〜３３を立体的に配置して、ヒューズ３５を分岐桝１１の上部に位置させた場合、ヒューズ３５の視認性が向上し、仮に分岐桝１１が浸水しても、ヒューズ３５は汚損されないので、ヒューズ３５の溶断表示を確実に視認することができる。
【００３１】
また、幹線相ケーブル２１〜２４と引込み相ケーブル３１〜３４との接続部分に防水処理が施されている。
また、幹線ケーブル挿通口１１７、１１８及び引込みケーブル挿通口１１９に、防水処理が施されている。
これにより、分岐桝１１内に土や水が浸入するのを防止することができるので、分岐接続部１の信頼性が向上する。
【００３２】
以上、本発明者によってなされた発明を実施の形態に基づいて具体的に説明したが、本発明は上記実施の形態に限定されるものではなく、その要旨を逸脱しない範囲で変更可能である。
【００３３】
例えば、実施の形態では、分岐桝ユニット１０は、分岐桝１１等をカバー１４で覆う構造を有しているが、カバー１４を備えず、分岐桝１１等が直接地中に埋設されてもよい。
【００３４】
また例えば、実施の形態では、幹線ケーブル２０が３相４線式の低圧ケーブルである場合について示しているが、幹線ケーブル２０は３相３線式の低圧ケーブルであってもよい。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３６】
１  分岐接続部
１０  分岐桝ユニット
１１  分岐桝
１１１  本体部
１１２  天板
１１３  底板
１１４  のぞき窓
１２  架台
１３  支持構造体
１４  カバー
２０  幹線ケーブル
３０  引込みケーブル
２１〜２３  Ｕ，Ｖ，Ｗ相電線、幹線相ケーブル、電圧線
２４  Ｎ相電線、幹線相ケーブル、中性線
３５  ヒューズ
【図１】
2020182356.tif 000003
【図２】
2020182356.tif 000004
【図３】
2020182356.tif 000005
【図４】
2020182356.tif 000006